【手続補正書】
【提出日】平成24年7月18日(2012.7.18)
【手続補正１】
【補正対象書類名】特許請求の範囲
【補正対象項目名】全文
【補正方法】変更
【補正の内容】
【特許請求の範囲】
【請求項１】
端末装置とサーバ装置とがネットワークを介して接続され、前記サーバ装置が前記端末装置のソフトウェアのライセンスを管理するライセンス管理システムであって、
前記端末装置は、
前記端末装置を識別するための端末識別情報を生成する生成手段と、
新規のライセンスの認証のために、ソフトウェアを識別するためのライセンス識別情報と、前記端末装置における機器情報と、前記生成手段により生成された端末識別情報とを、前記サーバ装置に対して送信する第１送信手段と、
前記サーバ装置から送信されてきたライセンスを用いて、前記ソフトウェアを起動する起動手段と、
前記ライセンスの再認証又は返却のために、ライセンス識別情報と、前記端末装置における機器情報と、前記生成手段により生成された端末識別情報とを含む問合せを、前記サーバ装置に対して送信する問合せ手段と、を有し、
前記サーバ装置は、
ライセンスの認証のために、前記端末装置から送信されてきたライセンス識別情報と、機器情報と、端末識別情報とを関連付けて登録する登録手段と、
前記登録したライセンス識別情報で識別される前記ソフトウェアのライセンスを前記端末装置に対して送信する第２送信手段と、
前記問合せに含まれる前記端末識別情報及び前記機器情報と、前記登録手段により登録された前記端末識別情報及び前記機器情報とを比較する比較手段と、を有することを特徴とするライセンス管理システム。
【請求項２】
前記問合せ手段は、前記生成手段が生成した仮想化ソフトウェアで作成された仮想端末装置を識別するための端末識別情報を問合せに含めることを特徴とする請求項１に記載のライセンス管理システム。
【請求項３】
前記ライセンスの再認証のために、前記問合せ手段が仮想端末装置であることを示す仮想フラグ情報を前記サーバ装置に送信することを特徴とする請求項１又は２に記載のライセンス管理システム。
【請求項４】
前記比較手段が、前記問合せに含まれる前記端末識別情報と前記登録手段により登録された前記端末識別情報とが一致し、更に、前記問合せに含まれる前記機器情報と前記登録手段により登録された前記機器情報とが一致すると判定した場合に、前記ライセンスの返却の処理として、前記問合せに含まれるライセンス識別情報に関連付けて前記登録手段により登録された情報を削除する削除手段を、更に、有することを特徴とする請求項１乃至３の何れか１項に記載のライセンス管理システム。
【請求項５】
前記比較手段が、前記問合せに含まれる前記端末識別情報と前記登録手段により登録された前記端末識別情報とが一致せず、前記問合せに含まれる前記機器情報と前記登録手段により登録された前記機器情報とが一致し、更に、前記問合せに含まれる前記ライセンス識別情報と前記登録手段により登録された前記ライセンス識別情報とが一致すると判定した場合に、前記ライセンスの再認証の処理を行う処理手段を、更に、有することを特徴とする請求項１乃至４の何れか１項に記載のライセンス管理システム。
【請求項６】
前記処理手段は、前記ライセンスの再認証の処理として、前記比較手段が一致しないと判定した前記登録手段により登録された前記端末識別情報を前記端末装置に送信することを特徴とする請求項５に記載のライセンス管理システム。
【請求項７】
端末装置のソフトウェアのライセンスを管理するためのサーバ装置であって、
ライセンスの認証のために前記端末装置から受信した、ソフトウェアを識別するためのライセンス識別情報と、前記端末装置における機器情報と、前記端末装置を識別するための端末識別情報とを関連付けて登録する登録手段と、
前記登録したライセンス識別情報で識別される前記ソフトウェアのライセンスを前記端末装置に対して送信する送信手段と、
前記端末装置からのライセンスの再認証又は返却のための問合せに含まれる端末識別情報及び機器情報と、前記登録手段により登録された前記端末識別情報及び前記機器情報とを比較する比較手段と、
を有することを特徴とするサーバ装置。
【請求項８】
前記ライセンスの再認証のため、前記問合せには、仮想化ソフトウェアで作成された仮想端末装置であることを示す仮想フラグ情報が含まれることを特徴とする請求項７に記載のサーバ装置。
【請求項９】
前記比較手段が、前記問合せに含まれる端末識別情報と前記登録手段により登録された前記端末識別情報とが一致し、更に、前記問合せに含まれる機器情報と前記登録手段により登録された前記機器情報とが一致すると判定した場合に、前記ライセンスの返却の処理として、前記問合せに含まれるライセンス識別情報に関連付けて前記登録手段により登録された情報を削除する削除手段を、更に、有することを特徴とする請求項７又は８に記載のサーバ装置。
【請求項１０】
前記比較手段が、前記問合せに含まれる端末識別情報と前記登録手段により登録された前記端末識別情報とが一致せず、前記問合せに含まれる機器情報と前記登録手段により登録された前記機器情報とが一致し、更に、前記問合せに含まれるライセンス識別情報と前記登録手段により登録された前記ライセンス識別情報とが一致すると判定した場合に、前記ライセンスの再認証の処理を行う処理手段を、更に、有することを特徴とする請求項７乃至９の何れか１項に記載のサーバ装置。
【請求項１１】
前記処理手段は、前記ライセンスの再認証の処理として、前記比較手段が一致しないと判定した前記登録手段により登録された前記端末識別情報を前記端末装置に送信することを特徴とする請求項１０に記載のサーバ装置。
【請求項１２】
端末装置のソフトウェアのライセンスを管理するためのサーバ装置の処理方法であって、
登録手段が、ライセンスの認証のために前記端末装置から受信した、ソフトウェアを識別するためのライセンス識別情報と、前記端末装置における機器情報と、前記端末装置を識別するための端末識別情報とを関連付けて登録する登録工程と、
送信手段が、前記登録したライセンス識別情報で識別される前記ソフトウェアのライセンスを前記端末装置に対して送信する送信工程と、
比較手段が、前記端末装置からのライセンスの再認証又は返却のための問合せに含まれる端末識別情報及び機器情報と、前記登録工程において登録された前記端末識別情報及び前記機器情報とを比較する比較工程と、
を有することを特徴とするサーバ装置の処理方法。
【請求項１３】
ソフトウェアのライセンスを管理するためのサーバ装置とネットワークを介して接続される端末装置であって、
前記端末装置を識別するための端末識別情報を生成する生成手段と、
新規のライセンスの認証のために、ソフトウェアを識別するためのライセンス識別情報と、前記端末装置における機器情報と、前記生成手段により生成された端末識別情報とを、前記サーバ装置に対して送信する送信手段と、
前記サーバ装置から送信されてきたライセンスを用いて、前記ソフトウェアを起動する起動手段と、
前記ライセンスの再認証又は返却のために、ライセンス識別情報と、前記端末装置における機器情報と、前記生成手段により生成された端末識別情報とを含む問合せを、前記サーバ装置に対して送信する問合せ手段と、
を有することを特徴とする端末装置。
【請求項１４】
前記問合せ手段による問合せの応答として、前記サーバ装置から、ライセンスの再認証の結果として前記サーバ装置で管理されていた端末識別情報を受信する受信手段を、更に有し、
前記問合せ手段は、その後の問合せを行う際には、前記受信手段により受信された端末識別情報を利用することを特徴とする請求項１３に記載の端末装置。
【請求項１５】
ソフトウェアのライセンスを管理するためのサーバ装置とネットワークを介して接続される端末装置の処理方法であって、
生成手段が、前記端末装置を識別するための端末識別情報を生成する生成工程と、
送信手段が、新規のライセンスの認証のために、ソフトウェアを識別するためのライセンス識別情報と、前記端末装置における機器情報と、前記生成手段により生成された端末識別情報とを、前記サーバ装置に対して送信する送信工程と、
起動手段が、前記サーバ装置から送信されてきたライセンスを用いて、前記ソフトウェアを起動する起動工程と、
問合せ手段が、前記ライセンスの再認証又は返却のために、ライセンス識別情報と、前記端末装置における機器情報と、前記生成工程において生成された端末識別情報とを含む問合せを、前記サーバ装置に対して送信する問合せ工程と、
を有することを特徴とする端末装置の処理方法。
【請求項１６】
請求項１２に記載のサーバ装置の処理方法の各工程又は請求項１５に記載の端末装置の処理方法の各工程をコンピュータに実行させるためのプログラム。
【手続補正２】
【補正対象書類名】明細書
【補正対象項目名】発明の名称
【補正方法】変更
【補正の内容】
【発明の名称】ライセンス管理システム、サーバ装置、端末装置及びそれらの処理方法
【手続補正３】
【補正対象書類名】明細書
【補正対象項目名】０００１
【補正方法】変更
【補正の内容】
【０００１】
本発明は、端末装置とサーバ装置とがネットワークを介して接続され、前記サーバ装置が前記端末装置のソフトウェアのライセンスを管理するライセンス管理システム、サーバ装置、端末装置及びそれらの処理方法に関するものである。
【手続補正４】
【補正対象書類名】明細書
【補正対象項目名】００１１
【補正方法】変更
【補正の内容】
【００１１】
本発明は、端末識別情報がライセンス認証時の端末識別情報と不一致の場合にも、ライセンスの再認証を行えるライセンス管理システム、サーバ装置、端末装置及びそれらの処理方法を提供することを目的とする。
【手続補正５】
【補正対象書類名】明細書
【補正対象項目名】００１２
【補正方法】変更
【補正の内容】
【００１２】
本発明は、端末装置とサーバ装置とがネットワークを介して接続され、前記サーバ装置が前記端末装置のソフトウェアのライセンスを管理するライセンス管理システムであって、
前記端末装置は、
前記端末装置を識別するための端末識別情報を生成する生成手段と、
新規のライセンスの認証のために、ソフトウェアを識別するためのライセンス識別情報と、前記端末装置における機器情報と、前記生成手段により生成された端末識別情報とを、前記サーバ装置に対して送信する第１送信手段と、
前記サーバ装置から送信されてきたライセンスを用いて、前記ソフトウェアを起動する起動手段と、
前記ライセンスの再認証又は返却のために、ライセンス識別情報と、前記端末装置における機器情報と、前記生成手段により生成された端末識別情報とを含む問合せを、前記サーバ装置に対して送信する問合せ手段と、を有し、
前記サーバ装置は、
ライセンスの認証のために、前記端末装置から送信されてきたライセンス識別情報と、機器情報と、端末識別情報とを関連付けて登録する登録手段と、
前記登録したライセンス識別情報で識別される前記ソフトウェアのライセンスを前記端末装置に対して送信する第２送信手段と、
前記問合せに含まれる前記端末識別情報及び前記機器情報と、前記登録手段により登録された前記端末識別情報及び前記機器情報とを比較する比較手段と、を有することを特徴とする。